(57)【特許請求の範囲】
【請求項１】
記録された音声信号を選択するための静止画または動画によるＭＥＮＵ画像と音声およびまたは画像情報が記録され操作者の操作により前記ＭＥＮＵ画像の呼び出しが可能な光ディスクを再生してＴＶモニターに表示する車載用光ディスク再生装置において、
前記光ディスクに記録された情報を電気信号に変換する読み出し手段と、前記読み出し手段によって変換された前記光ディスクに記録された情報から音声信号と映像信号を復調する信号処理手段と、自装置を搭載した車両が走行中か停止中かを判断する車両状態監視手段に接続され前記車両状態監視手段の判断結果に基づいて前記ＭＥＮＵ画像を表示するか否かを判断するコマンド選択手段とを備え、操作者によってＭＥＮＵ画像の表示要求があった場合、前記車両状態監視手段が前記自装置を搭載した車両は走行中であると判断したときは前記ＭＥＮＵ画像を呼び出す操作者の操作を無視し、前記車両状態監視手段が前記自装置を搭載した車両は停止中であると判断したときは操作者の操作に応じて前記ＭＥＮＵ画像を前記ＴＶモニターに表示することを特徴とする車載用光ディスク再生装置。
【請求項２】
記録された音声信号を選択するための静止画または動画によるＭＥＮＵ画像と音声およびまたは画像情報が記録され操作者の操作により前記ＭＥＮＵ画像の呼び出しが可能な光ディスクを再生してＴＶモニターに表示する車載用光ディスク再生装置において、
前記光ディスクに記録された情報を電気信号に変換する読み出し手段と、前記読み出し手段によって変換された前記光ディスクに記録された情報から音声信号と映像信号を復調する信号処理手段と、前記ＴＶモニターの電源状態がＯＮであるかＯＦＦであるかを監視するＴＶモニター電源スイッチ監視手段に接続され前記ＴＶモニター電源スイッチ監視手段の判断結果に基づいて前記ＭＥＮＵ画像を表示するか否かを判断するＭＥＮＵ画像表示選択手段とを備え、操作者によってＭＥＮＵ画像の表示要求があった場合、前記ＴＶモニター電源スイッチ監視手段が前記ＴＶモニターの電源状態がＯＦＦであると判断したときは、前記ＭＥＮＵ画像を呼び出す操作者の操作を無視し、前記ＴＶモニター電源スイッチ監視手段が前記ＴＶモニターの電源状態がＯＮであると判断したときは、操作者の操作に応じて前記ＭＥＮＵ画像を前記ＴＶモニターに表示することを特徴とする車載用光ディスク再生装置。
【発明の詳細な説明】
【０００１】
【発明の属する技術分野】
本発明は、ＤＶＤビデオやＤＶＤオーディオ等の光学的にデータを記録再生する車載用光ディスク再生装置に関し、特に、光ディスク内に記録された映像や音声の選択が容易に行えるように、音声や映像データのほかに、ＴＶモニターの画面上に項目名とボタンを配置して再生するデータを視覚的に選択可能ないわゆるＭＥＮＵ画像を有する光ディスクを再生可能で、ＴＶモニターやこの再生装置が設置されている車両の状況に合わせてＭＥＮＵ画像を表示するか、しないかを最適に選択することが可能な光ディスク再生装置に関するものである。
【０００２】
【従来の技術】
近年、光ディスクの高密度化，動画データの圧縮技術の向上によって、ＤＶＤビデオやＤＶＤオーディオのように、音声および動画をディジタルデータに変換後、圧縮して光ディスクに記録するというような光ディスクが実用化され普及する傾向にある。このような光ディスクでは、動画、もしくは静止画で構成されるＭＥＮＵ画像を記録することが可能であり、このＭＥＮＵ画像は画面上にボタンを配置することができ、操作者がこのボタンをリモコン等で選択することによってボタンに割り当てられた特定の曲やシーンを頭出しすることが可能である。このＭＥＮＵ画面は、操作者が特定のリモコンのキーを操作することで呼び出される。
【０００３】
一方、光ディスク再生装置の商品形態は様々であり、家庭のリビングルームに設置され、ＴＶモニターに接続されるようないわゆる据え置き型プレーヤー、また、バッテリー駆動時間が長くなるように映像出力再生機能、および映像出力端子を持たないポータブル型プレーヤー等の形態が考えられる。ＤＶＤオーディオ等の光ディスクでは、ＴＶモニターに接続された状態で使用される商品形態では、操作者の操作によるＭＥＮＵ画像の呼び出しが可能であり、ＴＶモニターに接続されない状態で使用される商品形態では、ＭＥＮＵ画像の呼び出しが不可能になっているのが一般的である。
【０００４】
また、最近では車両にもこの種の光ディスク再生装置が搭載され、このような車載用光ディスク再生装置に接続されるＴＶモニターは、特願平 8-331467 号公報に知られるように、車両の走行信号などによって車両の状態を検出し、走行中となった場合はＴＶモニターから映像が再生されることを禁止したり、映像信号だけ運転上安全に支障をきたさない再生映像に自動的に切り替えるような構造となっているものがある。また、車両に搭載されるＴＶモニターには、様々な形状のものが商品化されており、車両のダッシュボードに液晶ディスプレーを埋め込み、運転者の操作によってダッシュボードから引き出してＴＶモニターを見たり、不要なときにはダッシュボード内に格納できるような形状をもつＴＶモニターもある。
【０００５】
【発明が解決しようとする課題】
しかしながら、上記従来の光ディスク再生装置では、操作者の要求によってＭＥＮＵ画像の表示を行うか否かが、商品形態によって一義的に決定されていたため、例えば車両が走行時には、光ディスクに記録される音声データは再生されるが、映像データは再生されないか、再生されたとしてもＴＶモニターの入力切り替えが他の映像ソースに切り替わることがあり得るという問題を有していた。
【０００６】
このとき、従来の光ディスク再生装置が、操作者の要求によってＭＥＮＵ画像を表示するように設計されていたとしたら、ＭＥＮＵ映像をＴＶモニターで表示することができないため、操作者が曲やシーンの選択ができないという問題を有していた。また、従来の光ディスク再生装置が、操作者の要求たあったとしてもＭＥＮＵ画像を表示しないように設計されていたとしても、車両が停止状態でＴＶモニターからは光ディスク内の記録された映像データを再生可能にも関わらずＭＥＮＵ画像がＴＶモニターに表示されないという問題を有していた。
【０００７】
また、ＴＶモニターは光ディスク再生装置、および音声再生装置と独立して電源をＯＮ、ＯＦＦできるものが一般的であり、視聴者がＴＶモニターだけ電源をＯＦＦした場合、ＭＥＮＵ画像を表示するように設計された光ディスク再生装置では、ＭＥＮＵ映像をＴＶモニターで表示することができないため、操作者が曲やシーンの選択ができないという問題を有していた。また、従来の光ディスク再生装置がＭＥＮＵ画像を表示しないように設計されていたとしても、ＴＶモニターの電源をＯＮの状態で映像データを再生可能にも関わらずＭＥＮＵ画像が呼び出されないという問題を有していた。
【０００８】
また、ＴＶモニターが格納可能な形状のものである場合、視聴者がＴＶモニターを車両のダッシュボードに格納した場合、ＭＥＮＵ画像を表示するように設計された光ディスク再生装置では、ＭＥＮＵ映像をＴＶモニターで表示することができないため、操作者が曲やシーンの選択ができないという問題を有していた。また、従来の光ディスク再生装置がＭＥＮＵ画像を表示しないように設計されていたとしても、ＴＶモニターをダッシュボードから引き出し映像表示可能な状態の場合は、映像データを再生可能にも関わらずＭＥＮＵ画像が呼び出されないという問題を有していた。
【０００９】
本発明は、上記した従来の問題を解決するもので、車両の走行状態が変化したり、視聴者の操作によって光ディスク再生装置からの映像信号がＴＶモニターに表示されない状態と表示される状態とが変化したとしても、そのときどきの状態に応じてＭＥＮＵ画像の表示要求に対して最適な判断を行うことのできる優れた車載用光ディスク再生装置を提供することを目的とする。
【００１０】
【課題を解決するための手段】
上記目的を達成するため、本発明による車載用光ディスク再生装置は、再生中に車両が停止中か、走行中かを監視し、走行中の場合は、操作者のＭＥＮＵ画像の表示要求を無効とし、停止中の場合は、操作者のＭＥＮＵ画像の表示要求に対してＭＥＮＵ画像の表示を行うようにしたものであり、ＴＶモニターから光ディスク再生装置の再生映像を表示する場合、もしくは再生映像を表示しない場合のそれぞれの場合で最適な再生を行うことができる。
【００１１】
また本発明による車載用光ディスク再生装置は、再生中にＴＶモニターが表示している映像ソースの入力選択状態を監視し、光ディスク再生装置が選択されていない場合は、操作者のＭＥＮＵ画像の表示要求を無効とし、選択されている場合は、操作者のＭＥＮＵ画像の表示要求に対してＭＥＮＵ画像の表示を行うようにしたものであり、ＴＶモニターから光ディスク再生装置の再生映像を表示する場合、もしくは再生映像を表示しない場合のそれぞれの場合で最適な再生を行うことができる。
【００１２】
また本発明による車載用光ディスク再生装置は、再生中にＴＶモニターの電源スイッチの状態を監視し、ＴＶモニターの電源がＯＦＦの場合は、操作者のＭＥＮＵ画像の表示要求を無効とし、ＯＮの場合は、操作者のＭＥＮＵ画像の表示要求に対してＭＥＮＵ画像の表示を行うようにしたものであり、ＴＶモニターから光ディスク再生装置の再生映像を表示する場合、もしくは再生映像を表示しない場合のそれぞれの場合で最適な再生を行うことができる。
【００１３】
また本発明による車載用光ディスク再生装置は、格納可能なＴＶモニターの格納状態を監視し、ＴＶモニターの格納状態が閉の場合は、操作者のＭＥＮＵ画像の表示要求を無効とし、開の場合は、操作者のＭＥＮＵ画像の表示要求に対してＭＥＮＵ画像の表示を行うようにしたものであり、ＴＶモニターから光ディスク再生装置の再生映像を表示する場合、もしくは再生映像を表示しない場合のそれぞれの場合で最適な再生を行うことができる。
【００１４】
【発明の実施の形態】
本発明は、記録された音声信号を選択するための静止画または動画によるＭＥＮＵ画像と音声およびまたは画像情報が記録され操作者の操作により前記ＭＥＮＵ画像の呼び出しが可能な光ディスクを再生してＴＶモニターに表示する車載用光ディスク再生装置において、前記光ディスクに記録された情報を電気信号に変換する読み出し手段と、前記読み出し手段によって変換された前記光ディスクに記録された情報から音声信号と映像信号を復調する信号処理手段と、自装置を搭載した車両が走行中か停止中かを判断する車両状態監視手段に接続され前記車両状態監視手段の判断結果に基づいて前記ＭＥＮＵ画像を表示するか否かを判断するコマンド選択手段とを備え、操作者によってＭＥＮＵ画像の表示要求があった場合、前記車両状態監視手段が前記自装置を搭載した車両は走行中であると判断したときは前記ＭＥＮＵ画像を呼び出す操作者の操作を無視し、前記車両状態監視手段が前記自装置を搭載した車両は停止中であると判断したときは操作者の操作に応じて前記ＭＥＮＵ画像を前記ＴＶモニターに表示することを特徴とする車載用光ディスク再生装置であり、ＴＶモニターから光ディスク再生装置の再生映像を表示する場合、もしくは再生映像を表示しない場合のそれぞれの場合で最適な再生を行うことができるという作用を有する。
【００１６】
本発明は、記録された音声信号を選択するための静止画または動画によるＭＥＮＵ画像と音声およびまたは画像情報が記録され操作者の操作により前記ＭＥＮＵ画像の呼び出しが可能な光ディスクを再生してＴＶモニターに表示する車載用光ディスク再生装置において、前記光ディスクに記録された情報を電気信号に変換する読み出し手段と、前記読み出し手段によって変換された前記光ディスクに記録された情報から音声信号と映像信号を復調する信号処理手段と、前記ＴＶモニターの電源状態がＯＮであるかＯＦＦであるかを監視するＴＶモニター電源スイッチ監視手段に接続され前記ＴＶモニター電源スイッチ監視手段の判断結果に基づいて前記ＭＥＮＵ画像を表示するか否かを判断するＭＥＮＵ画像表示選択手段とを備え、操作者によってＭＥＮＵ画像の表示要求があった場合、前記ＴＶモニター電源スイッチ監視手段が前記ＴＶモニターの電源状態がＯＦＦであると判断したときは、前記ＭＥＮＵ画像を呼び出す操作者の操作を無視し、前記ＴＶモニター電源スイッチ監視手段が前記ＴＶモニターの電源状態がＯＮであると判断したときは、操作者の操作に応じて前記ＭＥＮＵ画像を前記ＴＶモニターに表示することを特徴とする車載用光ディスク再生装置であり、ＴＶモニターから光ディスク再生装置の再生映像を表示する場合、もしくは再生映像を表示しない場合のそれぞれの場合で最適な再生を行うことができるという作用を有する。
【００１８】
以下、本発明の実施の形態を図面を参照して説明する。
（実施の形態１）
図１は本発明の実施の形態１における車載用光ディスク再生装置であるＤＶＤオーディオ再生装置の概略ブロック図である。図１において、１は光ディスク、２は光ディスク１の情報を電気信号に変換する読み出し手段、３は読み出し手段２によって変換された光ディスク１の内の情報から音声信号と映像信号を復調する信号処理手段、４は光ディスク１に記録されたＭＥＮＵ画像の表示を行うか、否かを決定するＭＥＮＵ画像表示選択手段、５は信号処理手段３の復調した映像信号を外部のＴＶモニターに接続する映像出力端子、６は信号処理手段３の復調した音声データを外部の音声再生装置に接続する音声出力端子、７は本装置を搭載した車両が走行中か停止中かを監視する車両状態監視手段である。
【００１９】
図３は本発明の各実施の形態に使用される光ディスク内の情報の記録領域を示している。図３において、１１は光ディスク１内のＭＥＮＵ画像格納領域、１１ａは静止画像および静止画像に合成されるボタン画像、およびボタン画像に関連づけられた選択曲情報をもつＭＥＮＵ画像情報、１２は光ディスク１内の再生データ格納領域であり、１２ａは第１の再生データ、１２ｂは第２の再生データ、１２ｃは第３の再生データ、１２ｄは第４の再生データ、１２ｅは第５の再生データである。
【００２０】
図４は上記ＭＥＮＵ画像に関する情報の内容を示している。図４において、１３はボタン１に割り当てられた曲選択情報、１４はボタン２に割り当てられた曲選択情報、１５はボタン３に割り当てられた曲選択情報、１６はボタン４に割り当てられた曲選択情報、１７はボタン５に割り当てられた曲選択情報である。
【００２１】
次に、本実施の形態１の動作について図５に示すフロー図を参照しながら説明する。車両状態監視手段７は車両の走行パルス、またはパーキングブレーキの状態によって車両が走行中であるか、停止中であるかを判断する。操作者によってＭＥＮＵ画像の表示要求があった場合（ステップＳ１）、ＭＥＮＵ画像表示選択手段４は、車両状態監視手段７の判断結果に基づいてＭＥＮＵ画像を表示するか否かを判断する（ステップＳ２）。走行中の場合は、表示要求を無視して現在の演奏を継続する（ステップＳ３）。車両状態監視手段７が停止中と判断した場合は、現在の演奏を中断してＭＥＮＵ画像の表示を行い（ステップＳ４）、処理を終了する（ステップＳ５）。
【００２２】
このように、本実施の形態１によれば、再生中に車両状態監視手段７が車両が停止中か、走行中かを監視し、その結果に基づきＭＥＮＵ画像表示選択手段４が、走行中の場合は、操作者によるＭＥＮＵ画像の表示要求を無効とし、停止中の場合は、操作者によるＭＥＮＵ画像の表示要求に対してＭＥＮＵ画像の表示を行うので、ＴＶモニターから光ディスク再生装置の再生映像を表示する場合、もしくは再生映像を表示しない場合のそれぞれの場合で最適な再生を行うことができる。
【００２６】
（実施の形態２）
図２は本発明の実施の形態２における車載用光ディスク再生装置であるＤＶＤオーディオ再生装置の概略ブロック図である。図２において、１は光ディスク、２は光ディスク１の情報を電気信号に変換する読み出し手段、３は読み出し手段２によって変換された光ディスク１の内の情報から音声信号と映像信号を復調する信号処理手段、４は光ディスク１に記録されたＭＥＮＵ画像の表示を行うか、否かを決定するＭＥＮＵ画像表示選択手段、５は信号処理手段３の復調した映像信号を外部のＴＶモニターに接続する映像出力端子、６は信号処理手段３の復調した音声データを外部の音声再生装置に接続する音声出力端子、９は本装置に接続されたＴＶモニター装置の電源状態がＯＮなのかＯＦＦなのかを監視するＴＶモニター電源スイッチ監視手段である。
【００２７】
次に、本実施の形態２の動作について図６に示すフロー図を参照しながら説明する。ＴＶモニター電源監視手段９は、接続されたＴＶモニターの電源スイッチを監視することで、現在ＴＶモニターが本光ディスク再生装置からの映像信号が再生可能か、再生不可能かを逐次判断する。操作者によってＭＥＮＵ画像の表示要求があった場合（ステップＳ２１）、ＭＥＮＵ画像表示選択手段４は、ＴＶモニター電源監視手段９の判断結果に基づいてＭＥＮＵ画像を表示するか否かを判断する（ステップＳ２２）。ＴＶモニターの電源がＯＦＦの場合は、表示要求を無視して現在の演奏を継続する（ステップＳ２３）。ＴＶモニター電源スイッチ監視手段９がＯＮと判断した場合は、現在の演奏を中断してＭＥＮＵ画像の表示を行い（ステップ２４）、処理を終了する（ステップＳ２５）。
【００２８】
このように、本実施の形態２によれば、再生中にＴＶモニターの電源スイッチの状態をＴＶモニター電源監視手段９が監視し、その結果に基づきＭＥＮＵ画像表示選択手段４が、ＴＶモニターの電源がＯＦＦの場合は、操作者によるＭＥＮＵ画像の表示要求を無効とし、ＯＮの場合は、操作者によるＭＥＮＵ画像の表示要求に対してＭＥＮＵ画像の表示を行うようにしたので、ＴＶモニターから光ディスク再生装置の再生映像を表示する場合、もしくは再生映像を表示しない場合のそれぞれの場合で最適な再生を行うことができる。
【００３３】
【発明の効果】
以上のように、本発明によれば、車両が走行してＴＶモニターから本光ディスク再生装置の再生映像が出力されていない時は、操作者によるＭＥＮＵ画像の表示要求を無視し、車両が停止して映像が出力可能な時は、ＭＥＮＵ画像の表示を行うことで、ＴＶモニターが光ディスク再生装置の出力映像を表示しているときのみ自動的にＭＥＮＵ映像が表示することができるという効果がある。
【００３５】
また本発明によれば、ＴＶモニターの電源が切られて本光ディスク再生装置の再生映像が出力されていない時は、操作者によるＭＥＮＵ画像の表示要求を無視し、電源がＯＮの時は、ＭＥＮＵ画像の表示を行うことで、ＴＶモニターが光ディスク再生装置の出力映像を表示しているときのみ自動的にＭＥＮＵ映像が表示することができるという効果がある。
【図面の簡単な説明】
【図１】本発明の実施の形態１における車載用光ディスク再生装置のブロック図
【図２】本発明の実施の形態２における車載用光ディスク再生装置のブロック図
【図３】本発明で使用される光ディスク内の記録領域を示す模式図
【図４】本発明で使用される光ディスク内に記録されたＭＥＮＵ画像情報を示す模式図
【図５】本発明の実施の形態１におけるＭＥＮＵ画像表示選択手段の動作を示すフロー図
【図６】本発明の実施の形態２におけるＭＥＮＵ画像表示選択手段の動作を示すフロー図
【符号の説明】
１  光ディスク
２  読み出し手段
３  信号処理手段
４  ＭＥＮＵ画像表示選択手段
５  映像出力端子
６  音声出力端子
７  車両状態監視手段
９  ＴＶモニター電源スイッチ監視手段
【図１】
0004260286.tif 000002
【図２】
0004260286.tif 000003
【図３】
0004260286.tif 000004
【図４】
0004260286.tif 000005
【図５】
0004260286.tif 000006
【図６】
0004260286.tif 000007